(57)【要約】      （修正有）【課題】手をあまり濡らすことなく折り畳み傘を簡単かつ円滑に収納できる折り畳み傘用の傘袋を提供する。【解決手段】傘袋は、折り畳み状態の折り畳み傘を収納する袋体３０を備える折り畳み傘用の傘袋２０であって、袋体は、一端が開口３２した有底筒状に形成されている。袋体の外周面側には、開口端３２ａから底部３３側にかけて袋体の軸方向に対して斜め方向に沿って切り込み５０が形成されているとともに、切り込みを開閉可能な開閉部４０が設けられている。折り畳み傘を挿入後あるいは挿入しつつ折り畳み傘のハンドルを把持して傘軸を中心に一定方向に回動させれば、開口状態にある傘袋の内面に案内されて、傘布は自然と巻かれる。【選択図】図１
0003211264.tif 000002
【実用新案登録請求の範囲】
【請求項１】
折り畳み状態の折り畳み傘を収納する袋体を備える折り畳み傘用の傘袋であって、
前記袋体は、一端が開口した有底筒状に形成されており、
前記袋体の外周面側には、その開口端から底部側にかけて前記袋体の軸方向に対して斜め方向に沿って切り込みが形成されているとともに、前記切り込みを開閉可能な開閉部が設けられていることを特徴とする折り畳み傘用の傘袋。
【請求項２】
前記袋体の外周面側は、表裏の生地と、前記表裏の生地の間に介装される可撓性を有する補強板と、を備えることを特徴とする請求項１に記載の折り畳み傘用の傘袋。
【請求項３】
前記開閉部は、スライドファスナであり、
前記袋体には、前記スライドファスナの裏面側を長手方向にわたって被覆する止水テープが設けられていることを特徴とする請求項１または請求項２に記載の折り畳み傘用の傘袋。
【請求項４】
前記スライドファスナは、前記袋体の前記切り込みを形成する両縁辺側のそれぞれに設けられる一対のテープと、前記一対のテープのそれぞれに設けられた各エレメントに沿ってスライドすることで前記各エレメントを噛合状態と非噛合状態とに変更するスライダと、を備え、
前記止水テープは、前記各エレメントの噛合状態で前記一対のテープのうちの一方のテープの裏面側を被覆するように他方のテープの裏面側に接合されていることを特徴とする請求項３に記載の折り畳み傘用の傘袋。
【請求項５】
請求項１乃至請求項４のいずれかに記載の傘袋と、
前記傘袋内に収納される折り畳み傘と、を備える折り畳み傘収納構造体であって、
前記折り畳み傘は、折り畳み状態の該折り畳み傘を束ねる結束バンドを備え、
前記結束バンドは、表裏の生地と、前記表裏の生地の間に介装される可撓性を有する補強板と、を備えることを特徴とする折り畳み傘収納構造体。
【考案の詳細な説明】
【技術分野】
【０００１】
本考案は、折り畳み傘を収納する折り畳み傘用の傘袋及び折り畳み傘収納構造体に関し、特に折り畳み傘を収納し易い折り畳み傘用の傘袋及び折り畳み傘収納構造体に関する。
【背景技術】
【０００２】
折り畳み傘を収納する傘袋は、特に濡れた状態にあるときには簡単に収納できるものであることが望まれる。特許文献１には、高さ方向中途位置から開口部の一端までの部分に、上下に摺動させて開閉可能なファスナ手段を設け、ファスナ手段のスライダ部と、開口部における一端と対向する他端との間に、帯状体を遊架した傘袋が記載されている。特許文献１に記載の傘袋は、帯状体を持つと傘の自重によって自然にファスナ手段が閉鎖するので、ファスナ手段の開閉操作を行なうことなく傘を出し入れすることができる。
【先行技術文献】
【特許文献】
【０００３】
【特許文献１】実用新案登録第３１８６１３４号公報
【考案の概要】
【考案が解決しようとする課題】
【０００４】
しかし、特許文献１に記載の傘袋は、一端が開口した有底筒状に形成され、高さ方向中途位置から開口部の一端までの部分に、上下方向すなわち傘袋の軸方向と同方向に摺動させて開閉可能なファスナ手段が設けられている。このため、ファスナ手段を閉鎖する手間は省くことはできても、傘袋の開口は従来の傘袋と同様に小さく、特に濡れた傘の場合は嵩張るために、開口から挿入しにくく収納しにくい。また、収納する際、折り畳まれた傘の傘布を手で巻き、結束バンドで止めて傘袋内に収納するので、手が濡れる。
【０００５】
そこで、本考案は、手をあまり濡らすこともなく折り畳み傘を簡単かつ円滑に収納できる折り畳み傘用の傘袋及び折り畳み傘収納構造体を提供することを課題とする。
【課題を解決するための手段】
【０００６】
上記問題を解決するために、請求項１に記載の考案は、折り畳み状態の折り畳み傘を収納する袋体を備える折り畳み傘用の傘袋であって、前記袋体は、一端が開口した有底筒状に形成されており、前記袋体の外周面側には、その開口端から底部側にかけて前記袋体の軸方向に対して斜め方向に沿って切り込みが形成されているとともに、前記切り込みを開閉可能な開閉部が設けられていることを要旨とする。
請求項２に記載の考案は、請求項１に記載の考案において、前記袋体の外周面側は、表裏の生地と、前記表裏の生地の間に介装される可撓性を有する補強板と、を備えることを要旨とする。
請求項３に記載の考案は、請求項１又は２に記載の考案において、前記開閉部は、スライドファスナであり、前記袋体には、前記スライドファスナの裏面側を長手方向にわたって被覆する止水テープが設けられていることを要旨とする。
請求項４に記載の考案は、請求項３に記載の考案において、前記スライドファスナは、前記袋体の前記切り込みを形成する両縁辺側のそれぞれに設けられる一対のテープと、前記一対のテープのそれぞれに設けられた各エレメントに沿ってスライドすることで前記各エレメントを噛合状態と非噛合状態とに変更するスライダと、を備え、前記止水テープは、前記各エレメントの噛合状態で前記一対のテープのうちの一方のテープの裏面側を被覆するように他方のテープの裏面側に接合されていることを要旨とする。
上記問題を解決するために、請求項５に記載の考案は、請求項１乃至請求項４のいずれかに記載の傘袋と、前記傘袋内に収納される折り畳み傘と、を備える折り畳み傘収納構造体であって、前記折り畳み傘は、折り畳み状態の該折り畳み傘を束ねる結束バンドを備え、前記結束バンドは、表裏の生地と、前記表裏の生地の間に介装される可撓性を有する補強板と、を備えることを要旨とする。
【考案の効果】
【０００７】
本考案の折り畳み傘用の傘袋によると、袋体は、一端が開口した有底筒状に形成されており、袋体の外周面側には、その開口端から底部側にかけて袋体の軸方向に対して斜め方向に沿って切り込みが形成されているとともに、切り込みを開閉可能な開閉部が設けられている。これにより、折り畳み傘を収納する際に開閉部で切り欠きを開くと、筒状の袋体の開口は大きく拡張する。よって、濡れて嵩張っている折り畳み傘であっても開口から内部に挿入し易い。そして、挿入後あるいは挿入しつつ折り畳み傘のハンドルを把持して傘軸を中心に一定方向に回動させれば、開口状態にある傘袋の内面に案内されて、傘布は自然と巻かれる。その後は、開閉部で切り欠きを閉じるだけでよい。したがって、手をあまり濡らすこともなく簡単かつ円滑に折り畳み傘を傘袋内に収納することができる。
【０００８】
また、前記袋体の外周面側が、表裏の生地と、前記表裏の生地の間に介装される可撓性を有する補強板と、を備える場合は、袋体は、全体的に剛性が大きくなりいわゆる腰があって、開閉部で切り欠きを開いた後は、開口の周辺部は一定の拡張状態に保持され、内面は一定の形状に保持されるので、傘袋内でより円滑に傘布を巻いていくことができる。
【０００９】
また、前記開閉部が、スライドファスナであり、前記袋体に、前記スライドファスナの裏面側を長手方向にわたって被覆する止水テープが設けられている場合は、止水テープにより、傘袋内に収納されている濡れた傘から出た水滴がスライドファスナの布地等で形成されたテープから表側に染み出すことが防止される。また、スライドファスナのスライダを移動させるとき、傘布がスライダとエレメントとの間に挟まるのを防止できる。
【００１０】
また、前記スライドファスナが、一対のテープと、スライダと、を備え、前記止水テープが、前記各エレメントの噛合状態で一方のテープの裏面側を被覆するように他方のテープの裏面側に接合されている場合は、容易且つ安価に止水テープを設定できる。
【００１１】
本発明の折り畳み傘収納構造体によると、前記折り畳み傘は、該折り畳み傘を折り畳み状態に束ねる結束バンドを備え、前記結束バンドは、表裏の生地と、前記表裏の生地の間に介装される可撓性を有する補強板と、を備える。これにより、傘が袋体内に挿入されて傘布が巻かれるときに、同時に比較的剛性の高い結束バンドも確実に巻かれ、傘布に巻き付けながら結束させることができる。
【図面の簡単な説明】
【００１２】
本考案について、本考案による典型的な実施形態の非限定的な例を挙げ、言及された複数の図面を参照しつつ以下の詳細な記述によって更に説明するが、同様の参照符号は図面のいくつかの図を通して同様の部品を示す。
【図１】本考案の実施形態の傘袋を示し、(a)は開口側から見た斜視図、(b)は底部側から見た斜視図である。
【図２】上記傘袋の正面図である。
【図３】上記傘袋の展開図である。
【図４】上記傘袋の袋体を説明するための説明図である。
【図５】上記傘袋の開閉部を開いた状態を示す斜視図である。
【図６】上記傘袋に折り畳み傘を収納する方法を説明する斜視図である。
【図７】上記傘袋に折り畳み傘を収納する方法を説明する斜視図である。
【考案を実施するための形態】
【００１３】
以下、図を参照しながら本発明の実施形態の折り畳み傘用の傘袋及び折り畳み傘収納構造体を説明する。
【００１４】
本実施形態の傘袋２０は、図１及び図２に示すように、折り畳み状態の折り畳み傘１０を収納する袋体３０を備えている。この袋体３０は、一端が開口３２した有底筒状に形成されている。この袋体３０の外周面側には、その開口端３２ａから底部３３側にかけて袋体３０の軸方向に対して斜め方向に沿って切り込み５０が形成されている。また、袋体３０の外周面側には、切り込み５０を開閉可能な開閉部４０が設けられている。この開閉部４０は、切り欠き５０を開くことにより開口３２が拡張し折り畳み傘１０が袋体３０内に挿入可能となる。また、折り畳み傘１０と傘袋２０とは、折り畳み傘収納構造体１を構成する。なお、本実施形態では、袋体３０に収納される折り畳み傘１０として、ワンタッチで折り畳み可能な３段折り畳み傘を例示する。
【００１５】
袋体３０は、図３及び図４に示すように、表裏の生地３４、３４と、表裏の生地３４、３４の間に介装される可撓性を有する補強板３５と、を備えている。これら各生地３４、３４及び補強板３５は、ポリエステル樹脂により形成されている。また、各生地３４、３４は、撥水剤をコーティングすることなどにより撥水性を有している。また、各生地３４、３４は、略矩形状に形成されているが、左右両側辺３４ａ，３４ｂは、同方向に傾斜する傾斜辺となっており、厳密には生地３４全体として平行四辺形に形成されている。
【００１６】
なお、本実施形態の傘袋２０の場合、生地３４は、幅Ｂ：１６．５ｃｍ、高さＨ：２２．５ｃｍに形成されている。また、生地３４の傾斜辺は、下辺３４ｄ：２ｃｍに対し高さＨ：２０ｃｍである傾斜角度、すなわち袋体３０の軸方向である垂直線に対して約６度傾斜した角度に形成されている。
【００１７】
生地３４、３４の上辺３４ｃはパイピングが施され、パイピングテープ、バイアステープ等で生地３４、３４の端縁がほつれないように縫い代をくるんで縫合されている。パイピングが施されることにより、縫合面の引張り強度が増し、また、見た目のワンポイントともなっている。更に、生地３４、３４の左右両側の端縁には後述するスライドファスナ４１のテープ４３ａ、４３ｂの端部を縫合することにより一体に接合されている。更に、生地３４の一方の側辺３４ａの端縁には併せて止水テープ４５が側辺３４ａに沿って縫着されている。なお、生地３４の上端部側の１箇所には、フック３７が挿通されるハトメ３６が設けられており、図示しないが、フック３７にはストラップが取り付けられるようになっている。
【００１８】
このように構成された生地３４、３４は、円筒状に巻き付けられた状態で、底部３３側の端部に、本実施形態では直径５ｃｍの円板形状の底面部材３８がパイピング始末により縫着されている。一方、他側の端部は開閉部４０で切り欠き５０を閉じたとき、直径約５ｃｍの大きさの開口３２となっている。これにより、袋体３０が円筒状に形成された傘袋２０は、開閉部４０で切り欠き５０を閉じた状態で折り畳み傘１０がすっぽり入る大きさに形成されている。また、生地３４、３４を巻いて左右両側辺３４ａ，３４ｂである端縁を互いに突き合わせることにより、切り欠き５０は、袋体３０の外周面３１の一部を底部３３側から開口端３２ａにかけて袋体３０の軸方向に対して左下方から右上方に向かう斜め方向に切り割った形状になっている。
【００１９】
開閉部４０は、周知のスライドファスナ４１で形成されている。このスライドファスナ４１は、袋体３０の切り込み５０を形成する一対の縁側のそれぞれに設けられる一対のテープ４３ａ、４３ｂと、一対のテープ４３ａ、４３ｂのそれぞれに設けられた各エレメント４２ａ、４２ｂに沿ってスライドすることで各エレメント４２ａ、４２ｂを噛合状態と非噛合状態とに変更するスライダ４４と、を備えている。これらテープ４３ａ、４３ｂはポリエステルテープ、合繊テープ、綿テープ等が使用される。図１及び図２は開閉部４０で切り欠き５０を閉じた状態、図５は切り欠き５０を開いた状態の傘袋２０を示す。
【００２０】
袋体３０には、スライドファスナ４１の裏面側を長手方向にわたって被覆する止水テープ４５（「持ち出し」とも称される。）が設けられている。本実施形態では、止水テープ４５は、各エレメント４２ａ、４２ｂの噛合状態で一方のテープ４３ｂの裏面側を被覆するように他方のテープ４３ａの裏面側に接合されている。この止水テープ４５は、ポリエステル樹脂等の撥水性を有する布地からなる。また、止水テープ４５の持ち出し幅すなわち生地３４における図３の左側の側辺３４ａから側方にはみ出す幅は１．５ｃｍに設定されている。
【００２１】
一方、折り畳み傘１０は、傘布１１に、折り畳み状態で巻いた後の傘布１１を束ねる結束バンド１２が付設されている。結束バンド１２は、ポリエステル樹脂等の撥水性を有する素材からなり、一端部は傘布１１に縫合により取り付けられ、更にその一端部の外面側には面ファスナ１２ａが貼着されている。また、他端部には一端部の面ファスナ１２ａと着脱自在に接着する面ファスナ１２ｂが貼着されている。加えて、結束バンド１２は、表裏の生地５４、５４と、表裏の生地５４、５４の間に介装される可撓性を有する補強板５５と、を備えている（図７（ｄ）参照）。これら各生地５４、５４及び補強板５５は、ポリエステル樹脂により形成されている。さらに、結束バンド１２の横幅は、比較的大きな値（約４０ｍｍ）に設定されている。これにより、傘布１１を更に容易に束ねることができる。なお、上記結束バンド１２の横幅としては、例えば、２０〜１００ｍｍ（好ましくは３０〜８０ｍｍ、特に３０〜５０ｍｍ）が挙げられる。
【００２２】
次に、使用後の折り畳み傘１０を傘袋２０に収納する方法を説明する。
使用後の濡れた折り畳み傘１０は、３段折り畳み傘であり、ワンタッチで折り畳み骨が折り畳まれ、各折り畳み骨の傘布１１は折り畳み骨を中心に二つ折りに畳まれ、全体としてはハンドル１３側から見て放射状に広がった形で折れた姿となる。一方、傘袋２０は開閉部４０で切り欠き５０を開いて図５に示すように開口３２が大きく拡張した状態としておく。
【００２３】
そこで、図６（ａ）に示すように、折り畳み傘１０のハンドル１３を持ち、他方の手で傘袋２０を下方から支持した状態で、折り畳み傘１０を傘袋２０の開口３２の周辺部に載置する。次いで、図６（ｂ）に示すように、折り畳み傘１０を袋体３０の底部３３まで挿入する。続いて、図６（ｃ）に示すように、ハンドル１３を使用者側から見て時計方向に回し、傘布１１を袋体３０内で傘軸１４回りに巻き付ける。このとき、傘布１１は袋体３０の内面に押し付けられながら回動しその内面に案内されて自然に傘軸１４回りに巻き付けられていく。なお、ハンドル１３は、図６（ｂ）において折り畳み傘１０を袋体３０内に挿入しながら回してもよい。
【００２４】
このようにしてハンドル１３を回していけば、図７（ｄ）に示すように、折り畳み傘１０に付設された結束バンド１２も同時に袋体３０の内面に押し付けられて傘布１１の周りに巻き付けられ、結束バンド１２の両端部に逢着された面ファスナ同士が接合して傘布１１は自然と結束される。最後に、図７（ｅ）に示すように、スライドファスナ４１を閉じて開閉部４０で切り欠き５０を閉鎖すれば、折り畳み傘１０の収納が完了する。
【００２５】
次に、傘袋２０及び折り畳み傘収納構造体１の作用を説明する。
傘袋２０は、袋体３０の外周面側に、その開口端３２ａから底部３３側にかけて袋体３０の軸方向に対して斜め方向に沿って切り込み５０が形成されているので、折り畳み傘１０を収納する際に開閉部４０で切り欠き５０を開いたとき、切り込み５０が袋体３０の軸方向と同方向に沿って形成されているものと比べて、袋体３０の開口３２は、切り欠き５０の底部３３側の端部を分岐点として両側方に大きく拡張させることができる。このため、濡れて嵩張っている折り畳み傘１０であっても開口３２から袋体３０の内部に挿入し易い。
【００２６】
そして、挿入後あるいは挿入しつつ折り畳み傘１０のハンドル１３を把持して傘軸１４を中心に一定方向に回動させれば、傘布１１は開口状態にある傘袋２０の内面が案内壁となってこれに導かれつつ自然に巻かれる。その後は、開閉部４０で切り欠き５０を閉じるだけでよい。したがって、使用者は簡単かつ円滑に折り畳み傘１０を収納することができ、しまい勝手が良い。加えて、図６及び図７に示した収納手順において使用者は傘布１１に触れてないことからも分かるように、手をあまり濡らすことなく折り畳み傘１０を収納することができる。
【００２７】
また、袋体３０の外周面側は、表裏の生地３４、３４と、表裏の生地３４、３４の間に介装される可撓性を有する補強板３５と、を備えるので、全体的に剛性が大きくいわゆる腰があり、開閉部４０で切り欠き５０を開いた後、開口３２の周辺部及び内面は一定の拡張した形状に保持される保持性を有し、また、内面は傘布１１を巻くときの一種の作業台ともなるので、傘布１１をより安定して円滑に巻いていくことができる。
【００２８】
更に、開閉部４０であるスライドファスナ４１の一方のテープ４３ａの裏面側には止水テープ４５が付設され、スライドファスナ４１は裏面側から止水テープ４５によって覆われて、スライドファスナ４１と折り畳み傘１０との間は遮断されるので、傘袋２０内に収納されている濡れた折り畳み傘１０から出た水滴がスライドファスナ４１の布地等で形成されたテープ４３ａ、４３ｂを通して表側に染み出すのを防止することができる。その結果、折り畳み傘１０を収納した傘袋２０を鞄などの中に入れたとき、スライドファスナ４１の部分から水が染み出して鞄等の内部が濡れるのを防止することができる。また、止水テープ４５がスライドファスナ４１と傘布１１との間に介在するので、スライドファスナ４１のスライダ４４を移動させるとき、傘布１１がスライダ４４とエレメント４２ａ、４２ｂとの間に挟まってしまうのを防止することができる。
【００２９】
そして、折り畳み傘１０には、表裏の生地５４、５４の間に補強板５５を介装してなる結束バンド１２が付設されているので、折り畳み傘１０が袋体３０内に挿入され、傘布１１が巻かれるときに、同時に比較的剛性の高い結束バンド１２も確実に巻かれる。これにより、結束バンド１２で傘布１１に自然に巻き付けながら結束させることができる。その結果、結束バンド１２で傘布１１を巻き付ける手間が省けるとともに、結束バンド１２を巻いて結束するときに手が濡れるのを防止できる。
【００３０】
ところで、上記実施形態の開閉部４０は、スライドファスナ４１で形成されているが、これに限られるものではなく、袋体３０の切り込み５０を形成する両縁辺側３４ａ、３４ｂ相互を着脱自在に接着、接合できるものであればよく、例えば、面ファスナやボタンなどの接着、接合手段を用いて形成してもよい。
【００３１】
また、上記実施形態の切り込み５０は、袋体３０の軸方向に対して左下方から右上方に向かう斜め方向に沿って形成されているが、反対側の、右下方から左上方に向かう斜め方向に沿って形成されていてもよい。
【００３２】
更に、上記実施形態の袋体３０は、円筒状に形成されているが、四角筒状、五角筒状、六角筒状、八角筒状等の多角筒状や、楕円筒状等に形成してもよい。
また、袋体３０は、ポリエステル樹脂で形成されているが、他の合成樹脂等で形成してもよい。
【００３３】
そして、本発明を実施する場合、袋体３０は、上記実施形態に記載された各種寸法に限定されるものでなく、収納する折り畳み傘１０の大きさ、形状等に対応させて各種寸法に設定することができる。
【００３４】
加えて、傘袋２０は、スライドファスナ４１の裏側に設けた止水テープ４５を設けないものとすることを妨げるものではない。
【００３５】
なお、上記実施形態では、折り畳み傘１０としてワンタッチで折り畳める３段折り畳み傘１０を例示しているが、本発明は、２段折り畳み傘等にも同様に適用することできる。
【００３６】
なお、本考案においては、以上に示した実施形態に限られず、目的、用途に応じて本考案の範囲内で更に種々変更した態様とすることもできる。
【符号の説明】
【００３７】
１；折り畳み傘収納構造体、１０；折り畳み傘、１２；結束バンド、２０；傘袋、３０；袋体、３１；外周面、３２；開口、３２ａ；開口端、３３；底部、３４，５４；生地、３５，５５；補強板、４０；開閉部、４１；スライドファスナ、４２ａ，４２ｂ；エレメント、４３ａ，４３ｂ；テープ、４４；スライダ、４５；止水テープ、５０；切り込み。
【図１】
0003211264.tif 000003
【図２】
0003211264.tif 000004
【図３】
0003211264.tif 000005
【図４】
0003211264.tif 000006
【図５】
0003211264.tif 000007
【図６】
0003211264.tif 000008
【図７】
0003211264.tif 000009